(57)【要約】【課題】海底や湖底の地面を振動させて効果的に魚を集めることができる集魚装置を提供する。【解決手段】この集魚装置１０は、外周部に放射状に複数の突起部を突設した略弾丸状のケース１と、ケース１内に偏心軸６ａを中心に回転可能に軸支された偏心部材６と、偏心部材６の偏心軸６ａを回転駆動する直流モータ５と、直流モータ５に電源を供給する電池８とを備える。ケース１の外周の突起部２を海底または湖底の地面に接触させ、偏心部材６の回転により生じた振動を、突起部２を介して地面に伝達し地面を振動させる。【選択図】図１
2010187620.tif 000002
【特許請求の範囲】
【請求項１】
外周部に放射状に複数の突起部を突設した略弾丸状のケースと、
該ケース内に偏心軸を中心に回転可能に軸支された偏心部材と、
該偏心部材の偏心軸を回転駆動するモータと、
該モータに電源を供給する電池と、
を備え、該ケースの外周の突起部を海底または湖底の地面に接触させ、該偏心部材の回転により生じた振動を、該突起部を介して該地面に伝達し地面を振動させることを特徴とする集魚装置。
【請求項２】
前記モータは、０．２秒〜３秒の回転駆動を、０．５秒〜５秒の間隔で繰り返す間欠駆動回路により駆動制御されることを特徴とする請求項１記載の集魚装置。
【請求項３】
前記ケースの端部にミチイトを結び付けるための連結部が設けられ、釣具用錘としてミチイトに結び付けて使用されることを特徴とする請求項１記載の集魚装置。
【請求項４】
その底部を海底または湖底に付けるように水中に下ろされるケースと、
該ケース内に上下動可能に配設され、該ケースの底部に押し付けまたは落下して該ケースの底部を振動させる加振部材と、
該加振部材を上下動させる加振部材駆動機構と、
該加振部材駆動機構の駆動部に電源を供給する電池と、
を備え、該ケースの底部を、海底または湖底の地面に付けて該地面に振動を付与することを特徴とする集魚装置。
【請求項５】
前記ケース内には、前記加振部材駆動機構の駆動部を、０．５秒〜５秒の間隔で繰り返すように駆動する間欠駆動回路が設けられたことを特徴とする請求項４記載の集魚装置。
【請求項６】
前記加振部材駆動機構の駆動部として、電磁ソレノイドがケース内に設けられ、該電磁ソレノイドのプランジャの往復動により前記加振部材を上下動させることを特徴とする請求項４記載の集魚装置。
【請求項７】
下部に尖頭を有した尖頭下部を有し、上下動して、海底または湖底の地面に尖頭下部を押し付けまたは落下させる加振部材と、
該加振部材を上下動させる加振部材駆動機構と、
該加振部材駆動機構の駆動部に電源を供給する電池と、
該加振部材駆動機構と電池を収納するケースと、
を備え、該加振部材の尖頭下部を海底または湖底の地面に押し付けまたは落下させて該地面に振動を付与することを特徴とする集魚装置。
【発明の詳細な説明】
【技術分野】
【０００１】
本発明は、漁場や釣り場などで魚を集める集魚装置に関し、特に海底や湖底の地面に振動を与えて魚を集める集魚装置に関する。
【背景技術】
【０００２】
従来、光により魚を集める方法或いは海中の音波により魚を集める方法など、各種の集魚方法が知られている。特に、海中で音波を発生させ、水中に伝搬する音波により魚を集める集魚方法と装置が、下記特許文献１などにより提案されている。
【先行技術文献】
【特許文献】
【０００３】
【特許文献１】特開２００８−２２０２０６号公報
【発明の概要】
【発明が解決しようとする課題】
【０００４】
この集魚方法と集魚装置は、円筒状の筐体内に偏心モータを取り付け、筐体を振動させて、その振動により、或いは筐体の一部に水中スピーカを取り付け、水中で音波を発生させるものである。水中で発生する水中音波は、水を媒体として振動し伝搬する音であり、空気中で発生し我々が聞くことができる音響に相当するものである。しかし、水中音波は、空気中の音と異なり、空気とは大幅に密度の高い水を媒体として振動させて伝搬するため、空気中ではそれ程大きくない筐体振動やスピーカ振動であっても、水中音波のエネルギーは非常に大きく、水中音波は非常に遠くまで伝搬され、且つ水中生物に対し大きな刺激となる。
【０００５】
このため、従来のこの種の集魚装置を海中に投入して、水中音波を発生させた場合、近くに潜む魚にとっては、大きな驚愕となりやすく、集魚のための水中音波が、かえって魚を散らす結果となっている。
【０００６】
本発明は、上述の課題を解決するものであり、海底や湖底の地面を振動させて効果的に魚を集めることができる集魚装置を提供することを目的とする。
【課題を解決するための手段】
【０００７】
上記課題を解決する本発明の請求項１の集魚装置は、外周部に放射状に複数の突起部を突設した略弾丸状のケースと、該ケース内に偏心軸を中心に回転可能に軸支された偏心部材と、該偏心部材の偏心軸を回転駆動するモータと、該モータに電源を供給する電池とを備え、該ケースの外周の突起部を海底または湖底の地面に接触させ、該偏心部材の回転により生じた振動を、該突起部を介して該地面に伝達し地面を振動させることを特徴とする。
【０００８】
この発明によれば、突起部を海底または湖底の地面に押し付けて該地面に振動を伝達し、地面を微弱に振動させるので、付近の魚を驚愕させることなく、魚の興味をひき、魚を効果的に集めることができる。
【０００９】
本発明の請求項２の集魚装置は、上記請求項１の集魚装置において、上記モータは、０．２秒〜３秒の駆動を、０．５秒〜５秒の間隔で繰り返す間欠駆動回路により駆動制御されることを特徴とする。
【００１０】
この発明によれば、魚が興味を示しやすい地面の振動を、間欠的に発生させるので、魚をより効果的に集めることができる。
【００１１】
本発明の請求項３の集魚装置は、上記請求項１の集魚装置において、上記ケースの端部にミチイトを結び付けるための連結部が設けられ、釣具用錘としてミチイトに結び付けて使用されることを特徴とする。
【００１２】
この発明によれば、船釣りや投げ釣りの際に、本集魚装置を釣具用錘としてミチイトに結び付けて使用し、魚を集めながら釣りを行って、釣果を上げることができる。
【００１３】
本発明の請求項４の集魚装置は、底部を海底または湖底に当接するように水中に下ろされるケースと、該ケース内に上下動可能に配設され、該ケースの底部に押し付けまたは落下して該ケースの底部を振動させる加振部材と、該加振部材を上下動させる加振部材駆動機構と、該加振部材駆動機構の駆動部に電源を供給する電池と、を備え、該ケースの底部を、海底または湖底の地面に当てて該地面に振動を付与することを特徴とする。
【００１４】
この発明によれば、加振部材をケースの底部に押し付けまたは落下させて海底または湖底の地面に振動を付与するので、付近の魚を驚愕させることなく、魚の興味をひき、魚を効果的に集めることができる。
【００１５】
本発明の請求項５の集魚装置は、上記請求項４の集魚装置において、加振部材駆動機構の駆動を、０．５秒〜５秒の間隔で繰り返す間欠駆動回路により駆動制御されることを特徴とする。
【００１６】
この発明によれば、魚が興味を示しやすい地面の振動を、間欠的に発生させるので、魚をより効果的に集めることができる。
【００１７】
本発明の請求項６の集魚装置は、上記請求項４の集魚装置において、加振部材駆動機構が、電磁ソレノイドをケース内に設けて構成され、該電磁ソレノイドのプランジャの往復動により上記加振部材を上下動させることを特徴とする。
【００１８】
この発明によれば、加振部材駆動機構を簡単に構成し、小型のケース内に収納することができる。
【００１９】
本発明の請求項７の集魚装置は、下部に尖頭を有した尖頭下部を有し、上下動して、海底または湖底の地面に尖頭下部を押し付けまたは落下させる加振部材と、加振部材を上下動させる加振部材駆動機構と、加振部材駆動機構の駆動部に電源を供給する電池と、該加振部材駆動機構と電池を収納するケースと、を備え、該加振部材の尖頭下部を海底または湖底の地面に押し付けまたは落下させて該地面に振動を付与することを特徴とする。
【００２０】
この発明によれば、加振部材の尖頭下部を海底または湖底の地面に押し付けまたは落下させて該地面に振動を付与するので、付近の魚を驚愕させることなく、魚の興味をひき、魚を効果的に集めることができる。
【発明の効果】
【００２１】
本発明の集魚装置によれば、海底や湖底の地面を振動させて、効果的に魚を集めることができる。
【図面の簡単な説明】
【００２２】
【図１】本発明の第１実施形態を示す集魚装置の正面図（ａ）とその右側面図（ｂ）である。
【図２】集魚装置の内部構造を示す分解斜視図である。
【図３】集魚装置の構成ブロック図である。
【図４】第２実施形態の集魚装置の正面図（ａ）とその右側面図（ｂ）である。
【図５】第３実施形態の集魚装置の正面図である。
【図６】同集魚装置の内部構造を示す斜視図である。
【図７】第４実施形態の集魚装置の正面図である。
【図８】同集魚装置の内部構造を示す斜視図である。
【図９】第５実施形態の集魚装置の部分断面図である。
【発明を実施するための形態】
【００２３】
以下、本発明の一実施形態を図面に基づいて説明する。図１〜図３は第１実施形態の集魚装置１０を示し、この集魚装置１０は、外周部に放射状に複数の突起部２を突設した略弾丸状のケース１と、ケース１内に偏心軸６ａを中心に回転可能に軸支された偏心部材６と、偏心部材６の偏心軸６ａを回転駆動する直流モータ５と、直流モータを約０．５秒〜５秒の間隔で繰り返す間欠駆動回路７と、直流モータ５に電源を供給する電池８と、を備えて構成される。
【００２４】
ケース１は、釣具用錘と同じ程度の大きさに合成樹脂などにより形成され、その両端部が略尖頭形状に形成される一方、その両側の端部には、ミチイトを結ぶための連結部３と、ハリスを結ぶための連結部４とが、孔を有して設けられている。さらに、略弾丸状のケース１の外周部には、多数の棒状の突起部２が放射状に突設される。この突起部２は丸棒で形成され、集魚装置１０を海底に下ろしたとき、海底の地面に突起部２の先端が当接するように、例えば１外周あたり９０度の間隔で４本の突起部２が突設され、３つの外周で合計１２本の突起部２が設けられている。
【００２５】
ケース１内には、図２，３に示すように、小型の直流モータ５が取り付けられ、直流モータ５の回転軸には、偏心部材６がその偏心軸６ａを連結するように取り付けられ、直流モータ５によって偏心部材６を回転駆動したとき、偏心部材６が偏心軸６ａを軸に偏心回転し、振動が発生するようになっている。
【００２６】
また、ケース１内には、直流モータ５を回転駆動する間欠駆動回路７が設けられ、直流モータ５を所定の動作時間で、所定の時間間隔をおいて繰り返すように駆動する。間欠駆動回路７は、タイマー回路から構成され、例えば約０．２秒〜３秒の動作時間を、約０．５秒〜５秒の間隔で、繰り返すように、直流モータ５を駆動する。さらに、ケース１内には、電池８が収納され、電池８はスイッチ９を介して間欠駆動回路７に接続されている。
【００２７】
上記構成の集魚装置１０は、例えば投げ釣りなどの際に、釣具用錘としてミチイトの先端に、その一端の連結部３を結び付け、ケース１の他端の連結部４にハリスを結び付けて海釣りなどに使用される。
【００２８】
釣りが行なわれ、集魚装置１０がスイッチ９をオンした状態で、海に向かって投げられ、海底に集魚装置１０が下りると、図１のように、ケース１の突起部２が海底の地面に当接し、地面が砂地の場合には、突起部２の先端が地面に埋まる状態となる。直流モータ５の回転により発生した振動は、ケース１を介して突起部２に伝達され、突起部２の振動により海底の地面にその振動が伝達される。
【００２９】
特に、直流モータ５は、間欠駆動回路７によって、約０．２秒〜３秒の動作時間、望ましくは約０．４秒〜２秒の動作時間を、約０．５秒〜５秒の間隔、望ましくは約０．７秒〜３秒で繰り返すように、周期的、間欠的に駆動される。直流モータ５が偏心部材６を回転駆動することによって、直流モータ自体及びケース１に振動が発生し、ケース１の外周部の突設された突起部２が振動する。
【００３０】
これにより、海底の地面に当接した突起部２の振動が地面に伝達され、海底の地面が上記の間隔で振動することとなる。この地面の振動は、突起部２から水中の水を介さずに直接に地面に伝わるため、振動の振幅は小さいものでよく、小型の直流モータ５及び電池８を使用することができ、むしろ微弱な振動の方が近くを泳ぐ魚を脅すことがない。
【００３１】
海底付近にいる魚は、通常、海底の地面上に住む餌（小生物など）を探して遊泳しているが、このとき、集魚装置１０の突起部２から地面に振動が伝わると、海底に潜む小生物が動いたように感じ取り、集魚装置１０の周りに魚が集まってくる。
【００３２】
このように、集魚装置１０の突起部２から海底の地面に振動を与え、地面の僅かな振動により、付近を遊泳する魚が驚愕することなく、餌が地面を動くかのように魚に感じさせ、これによって、効果的に集魚装置１０の付近に魚を集めることができる。そして、集魚装置１０の周りに集まった魚は、集魚装置１０の端部に結びつけた図示しないハリスの釣り針の餌に食い付き、多くの魚を釣り上げることができる。
【００３３】
図４は第２実施形態の集魚装置２０を示している。この集魚装置２０は、船釣り用の釣り具用錘として使用されるもので、基本的には、上記と同様に、外周部に放射状に複数の突起部２２を突設した略弾丸状のケース２１を有している。
【００３４】
このケース２１は、その先端が尖頭状に形成され、その末端部に孔を有した連結部２３が形成され、釣具のミチイトの先端がその連結部２３に結び付けられる。ケース２１内には、上記と同様に、偏心軸を中心に回転可能に軸支された偏心部材と、偏心部材の偏心軸を回転駆動する直流モータと、直流モータを約０．２秒〜３秒の動作時間で、約０．５秒〜５秒の間隔をおいて、繰り返すように駆動する間欠駆動回路と、直流モータに電源を供給する電池と、が設けられる。
【００３５】
この集魚装置２０は、船釣りの際に、釣具用錘としてミチイトの先端に、その一端の連結部２３を結び付けて使用され、釣り針のハリスは集魚装置２０より上部のミチイトに結び付けられる。
【００３６】
釣りが行なわれて、この集魚装置２０が海底に下りると、図４のように、ケース２１の突起部２２が海底の地面に当接し、地面が砂地の場合には、突起部２２の先端が地面に埋まる状態となる。内蔵した直流モータの回転により発生した振動は、上記と同様に、ケース２１を介して突起部２２に伝達され、突起部２２を通して海底の地面に伝達される。
【００３７】
直流モータ５による突起部２２の振動は、約０．２秒〜３秒の動作時間を、約０．５秒〜５秒の間隔で繰り返すように、周期的、間欠的に発生し、これにより、海底の地面に当接した突起部２２の振動が地面に伝達され、海底の地面が周期的、間欠的に振動する。この地面の振動の振幅は小さいものであるが、突起部２２から水中の水を介さずに直接に地面に伝わるため、近くを泳ぐ魚を脅すことがない。一方、海底付近にいる魚は、通常、海底の地面上に住む餌（小生物など）を探して遊泳しているが、集魚装置２０の突起部２２から地面に振動が伝わると、地面に潜む小生物が動いたように感じ取り、集魚装置２０の周りに魚が集まってくることとなる。
【００３８】
図５、６は第３実施形態の集魚装置３０を示している。この集魚装置３０は、平坦な底部３２を有した略弾丸状で縦型のケース３１を備えて構成され、ケース３１の底部３２を海底または湖底に付けて使用される。
【００３９】
ケース３１は、略弾丸状で縦型に形成される一方、その上端が尖頭状に形成され、その上端部に孔を有した連結部３３が形成され、釣具のミチイトなどの先端がその連結部３３に結び付けられる。ケース３１内には、加振部材駆動機構として電磁ソレノイド３４が下向きに取り付けられ、そのプランジャの先端に、重り状の加振部材３５が取り付けられ、電磁ソレノイド３４により加振部材３５を底部３２に打ち付け或いは落下させるようになっている。
【００４０】
加振部材駆動機構の電磁ソレノイド３４は、約０．５秒〜約５秒、望ましくは約０．７秒〜約３秒の間隔で、そのプランジャを押し出し引き戻し動作し、それによって、加振部材３５を底部３２に打ち付けまたは落下させて、ケース３１の底部３２を振動させる。また、ケース３１内には、電磁ソレノイド３４の電源となる電池３６、及び電磁ソレノイド３４を約０．５秒〜約５秒の間隔で、周期的に間欠駆動する間欠駆動回路が配設されている。
【００４１】
この集魚装置３０は、船釣りの際に、釣具用錘としてミチイトの先端に、その一端の連結部３３を結び付けて使用され、釣り針のハリスは集魚装置３０より上部のミチイトに結び付けられる。
【００４２】
釣りが行なわれて、この集魚装置３０が海底に下りると、図５のように、ケース３１の底部３２が海底の地面に付いた状態となる。内蔵した電磁ソレノイド３４が加振部材３５を、ケース３１の底部３２に打ち付けまたは落下させるに動作すると、これにより、ケース３１の底部３２に振動が発生し、この底部３２の振動はそれが接触した海底の地面に伝達される。
【００４３】
電磁ソレノイド３４と加振部材３５による底部３２の振動は、約０．５秒〜５秒の間隔で繰り返すように、周期的、間欠的に発生し、これによって、海底の地面に当接した底部３２の振動が地面に伝達され、海底の地面が周期的、間欠的に振動する。この地面の振動の振幅は小さいものであり、底部３２から水中の水を介さずに直接に地面に伝わるため、近くを泳ぐ魚を脅すことがない。
【００４４】
一方、海底付近にいる魚は、通常、海底の地面上に住む餌（小生物など）を探して遊泳しているが、集魚装置３０の底部３２から地面に振動が伝わると、地面に潜む小生物が動いたように感じ取り、集魚装置３０の周りに魚が集まってくることとなる。
【００４５】
図７，８は第４実施形態の集魚装置４０を示している。この集魚装置４０は、平坦な底部を有した略弾丸状で縦型のケース４１を備え、ケース４１の両側に鉛筆状の加振部材４５を上下動可能に設けて構成され、使用時、ケース４１の底部を海底または湖底に付け、加振部材４５の尖頭下部を地面に打ち付けまたは落下させて、海底または湖底の地面に振動を加える構造である。
【００４６】
ケース４１は、略弾丸状で縦型に形成される一方、その上端が尖頭状に形成され、その上端部に環状の連結部４３が形成され、釣具のミチイトなどの先端がその連結部４３に結び付けられる。ケース４１内には、加振部材駆動機構の駆動部として、直流モータ４４と、モータの回転軸により駆動される減速機４６が配設され、さらに直流モータ４４の電源となる電池４９が配される。
【００４７】
減速機４６の出力軸４８はその両側の先端が水平方向に配設され、出力軸４８の両端は、ケース４１から外側に突出している。ケース４１の外側に突出した出力軸４８の先端に、クランク４７が取り付けられ、クランク４７の端部に上記鉛筆状の加振部材４５が軸により連結される。これにより、直流モータ４４が回転すると、減速機４６の出力軸４８が低速で回転し、さらにこのとき、クランク４７を介して加振部材４５が上下動し、加振部材４５の尖頭下部が海底または湖底の地面に打ち付けられまたは落下するようになっている。
【００４８】
このような構成の集魚装置４０は、ミチイトなどに結び付けられて海底に下りると、図７のように、ケース４１の底部が海底の地面に付いた状態となる。内蔵した直流モータ４４が回転すると、減速機４６の出力軸４８が低速で回転し、クランク４７を介して、ケース４１の両側の加振部材４５は、その尖頭下部を海底または湖底の地面に打ち付けまたは落下させるに動作する。
【００４９】
両側の加振部材４５の上下動は、約０．５秒〜５秒の間隔で繰り返すように、周期的に行なわれ、これにより、加振部材４５の尖頭下部は、海底または湖底の地面に、約０．５秒〜５秒の周期で、打ち付けられまたは落下して、海底の地面に振動が発生する。このとき、鉛筆状の加振部材４５が地面に打ち付けられまたは落下するのみであるから、地面の振動の振幅は小さく、直接に地面に振動が伝わるため、近くを泳ぐ魚を脅すことはない。一方、海底付近にいる魚は、通常、海底の地面上に住む餌（小生物など）を探して遊泳しているが、集魚装置４０の加振部材４５の上下動により、地面に振動が発生すると、地面に潜む小生物が動いたように感じ取り、集魚装置４０の周りに魚が集まってくることとなる。
【００５０】
図９は第５実施形態の集魚装置５０を示している。この集魚装置５０は、平坦な底部を有した略弾丸状で縦型のケース５１を有し、ケース５１内には下部から少し上方位置に底板５２が設けられ、底板５２の下方は、ケース５１の下部により囲まれ、下方に開口した空間となっている。
【００５１】
ケース５１内には２本の電磁ソレノイド５４が下向きに取り付けられ、各電磁ソレノイド５４のプランジャの下端に、鉛筆状の加振部材５５が連結される。底板５２には貫通孔の軸受部が設けられ、２本の加振部材５５がこの軸受部を上下に貫通し、上下動可能に支持される。２本の鉛筆状の加振部材５５は、各電磁ソレノイド５４のプランジャに連結され、その押し出しまたは引き戻し動作により、ケース５１の下部空間内で、約０．５秒〜約５秒の間隔で、交互にまたは同時に上下動するようになっている。ケース５１内には、図示が省略されているが、電磁ソレノイド５４の電源としての電池、及び電磁ソレノイド５４を所定の周期で動作させる間欠駆動回路が内蔵されている。
【００５２】
釣りが行なわれて、集魚装置５０が海底に下りると、図９のように、ケース５１の下部が海底の地面に付いた状態となる。内蔵した電磁ソレノイド５４が押し出しまたは引き戻し動作を行なうと、１対の鉛筆状の加振部材５５の尖頭下部が、海底または湖底の地面に打ち付けられまたは落下する。これにより、海底または湖底の地面に振動が発生し、この振動は電磁ソレノイド５４による加振部材５５の上下動により、約０．５秒〜５秒の間隔で繰り返すように、周期的、間欠的に発生する。これによって、海底の地面には加振部材５５による振動が発生するが、この地面の振動の振幅は小さいものであり、近くを泳ぐ魚を脅すことがない。
【００５３】
一方、海底付近にいる魚は、通常、海底の地面上に住む餌（小生物など）を探して遊泳しているが、集魚装置５０の加振部材５５の打ち付けまたは落下により地面に振動が生じると、地面に潜む小生物が動いたように感じ取り、集魚装置５０の周りに魚が集まってくることとなる。
【００５４】
このように、上記構成の集魚装置によれば、海底や湖底の地面を振動させて、効果的に魚を集めることができる。
【符号の説明】
【００５５】
１      ケース
２      突起部
３      連結部
４      連結部
５      直流モータ
６      偏心部材
６ａ    偏心軸
７      間欠駆動回路
８      電池
９      スイッチ
１０    集魚装置
２０    集魚装置
２１    ケース
２２    突起部
２３    連結部
【図１】
2010187620.tif 000003
【図２】
2010187620.tif 000004
【図３】
2010187620.tif 000005
【図４】
2010187620.tif 000006
【図５】
2010187620.tif 000007
【図６】
2010187620.tif 000008
【図７】
2010187620.tif 000009
【図８】
2010187620.tif 000010
【図９】
2010187620.tif 000011